(57)【要約】【課題】粉塵の影響を低減することができる判別装置を提供する。【解決手段】判別装置６０は、記録媒体の種類を判別するものであって、記録媒体が搬送される搬送経路に対向するように開口部が設けられた収容部と、収容部６１内に収容される照射部６２および受光部６３と、を備え、照射部６２は、開口部に面するように配置された記録媒体に向けて光を照射可能に構成され、受光部６３は、記録媒体から反射された光を受光可能に構成され、収容部６１には、開口部が開放された開状態と開口部が閉塞された閉状態とを切り替えるシャッターが設けられている。【選択図】図２
2020094856.tif 000002
【特許請求の範囲】
【請求項１】
記録媒体の種類を判別する判別装置であって、
前記記録媒体が搬送される搬送経路に対向するように開口部が設けられた収容部と、
前記収容部内に収容される照射部および受光部と、を備え、
前記照射部は、前記開口部に面するように配置された前記記録媒体に向けて光を照射可能に構成され、
前記受光部は、前記記録媒体から反射された光を受光可能に構成され、
前記収容部には、前記開口部が開放された開状態と前記開口部が閉塞された閉状態とを切り替えるシャッターが設けられている、判別装置。
【請求項２】
前記シャッターは、前記記録媒体の用紙を判別する際に前記開状態となり、前記記録媒体が前記搬送経路を連続して搬送される場合に前記閉状態となるように構成されている、請求項１に記載の判別装置。
【請求項３】
前記シャッターは、前記閉状態において前記搬送経路側を向く外側表面を含み、
前記外側表面には、前記搬送経路側に向けて突出する凸部が設けられており、
前記凸部は、前記閉状態において、前記搬送経路側に位置する前記開口部の開口面よりも前記搬送経路側に向けて突出する、請求項１または２に記載の判別装置。
【請求項４】
前記判別装置を校正するための校正板をさらに備え、
前記シャッターは、前記閉状態において前記収容部の内側を向く内側表面を有し、
前記校正板は、前記閉状態において前記照射部から照射された光を前記受光部に向けて反射するように、前記内側表面上に配置されている、請求項１から３のいずれか１項に記載の判別装置。
【請求項５】
前記シャッターを開閉させる開閉機構と、
前記記録媒体に対して前記収容部が位置する側とは反対側から前記記録媒体を収容部に向けて押圧する押圧部材と、を備え、
前記押圧部材は、前記記録媒体に前記照射部から光を照射させるための照射位置と、前記搬送経路から退避した退避位置との間で移動可能に設けられ、
前記開閉機構は、前記押圧部材の移動に連動して前記シャッターを開閉させ、前記押圧部材が前記照射位置に位置する状態において前記開状態とする、請求項１から４のいずれか１項に記載の判別装置。
【請求項６】
前記開閉機構は、前記押圧部材の移動に連動して回動軸まわりに回動するレバーを含み、
前記シャッターは、前記レバーの一端側に係合する係合部を含み、
前記係合部は、前記レバーの前記一端の移動に連動して前記シャッターを回動させるように構成されており、
前記押圧部材が前記照射位置に移動する際に、前記シャッターは、前記収容部内側に向けて回動する、請求項５に記載の判別装置。
【請求項７】
前記レバーは、前記収容部の外部に向けて突出する突出部を含み、
前記突出部は、前記押圧部材が前記照射位置に向けて移動する際に前記押圧部材に押圧可能に設けられ、
前記突出部には、前記記録媒体の搬送方向において下流側に向かうにつれて前記搬送経路に近づくように傾斜する傾斜部が設けられている、請求項６に記載の判別装置。
【請求項８】
前記開閉機構は、前記シャッターが前記開状態から前記閉状態となるように付勢力を発現させる付勢部材を含む、請求項５から７のいずれか１項に記載の判別装置。
【請求項９】
請求項１から８のいずれか１項に記載の判別装置と、
前記判別装置の判別結果に応じて、画像形成条件を設定する制御部と、を備えた画像形成装置。
【請求項１０】
前記判別装置は、搬送される前記記録媒体の幅方向における中央部に向けて光を照射可能に設置される、請求項９に記載の画像形成装置。
【請求項１１】
前記記録媒体を搬送する搬送ローラーを備え、
前記判別装置は、前記記録媒体の搬送方向において前記搬送ローラーの下流側に配置されている、請求項９または１０に記載の画像形成装置。
【発明の詳細な説明】
【技術分野】
【０００１】
本発明は、記録媒体の種類を判別する判別装置およびこれを備えた画像形成装置に関する。
【背景技術】
【０００２】
近年、画像が形成される記録媒体の種類は多岐に渡っている。画像形成装置において、記録媒体の特性に応じて画像形成条件を調整しない場合には、記録媒体が搬送経路で詰まったり、定着条件が適切に設定されずに、画像劣化が生じたり、定着不良が発生したりする。
【０００３】
このような不具合を防止するために、使用者が記録媒体の厚さや種類等を操作部で入力し、入力された情報に基づき画像形成条件が設定されていた。しかしながら、使用者自身が記録媒体の特性を把握していることは希であり、使用者による入力ミスにより上述の不具合が発生することもあった。そもそも使用者が記録媒体の特性を調べて操作部で入力しなければならず、その操作自体が煩わしかった。
【０００４】
上記のような使用者の操作を省略できる技術として、特開２０１５−２１５３３８号公報（特許文献１）には、記録媒体の特性として記録媒体の平滑度を、自動で検出する記録媒体平滑度検出装置が開示されている。
【０００５】
記録媒体平滑度検出装置においては、開口部が形成された筐体内に光源と光検出器とが配置されており、光源から出射された光が、開口部を通過して記録媒体に入射し、記録媒体から反射されて開口部を通過した光が光検出器によって検出される。
【０００６】
筐体の外部から開口部に対向するように校正板が配置されており、筐体と校正板との間には、校正板に光を照射可能となる状態と照射不能となる状態とを切り替える可動式のシャッターが設けられている。
【先行技術文献】
【特許文献】
【０００７】
【特許文献１】特開２０１５−２１５３３８号公報
【発明の概要】
【発明が解決しようとする課題】
【０００８】
しかしながら、特許文献１に記載の記録媒体平滑度検出装置にあっては、開口部は常に開放された状態である。特許文献１に記載の記録媒体平滑度検出装置を画像形成装置内に組み込んだ場合には、相当数の記録媒体が搬送されるため、記録媒体から発生する粉塵が、開口部から筐体内に相当程度進入する。このような場合には、筐体内に進入した粉塵が筐体内に収容されている光学機器に影響を与え、検出精度が低下する。
【０００９】
本発明は、上記のような問題に鑑みてなされたものであり、本発明の目的は、粉塵の影響を低減することができる判別装置および画像形成装置を提供することにある。
【課題を解決するための手段】
【００１０】
本発明に基づく判別装置は、記録媒体の種類を判別するものある。当該判別装置は、上記記録媒体が搬送される搬送経路に対向するように開口部が設けられた収容部と、上記収容部内に収容される照射部および受光部と、を備える。上記照射部は、上記開口部に面するように配置された上記記録媒体に向けて光を照射可能に構成されている。上記受光部は、上記記録媒体から反射された光を受光可能に構成されている。上記収容部には、上記開口部が開放された開状態と上記開口部が閉塞された閉状態とを切り替えるシャッターが設けられている。
【００１１】
上記本発明に基づく判別装置にあっては、上記シャッターは、上記記録媒体の用紙を判別する際に上記開状態となり、上記記録媒体が上記搬送経路を連続して搬送される場合に上記閉状態となるように構成されていることが好ましい。
【００１２】
上記本発明に基づく判別装置にあっては、上記シャッターは、上記閉状態において上記搬送経路側を向く外側表面を含んでおり、上記外側表面には、上記搬送経路側に向けて突出する凸部が設けられていてもよい。この場合には、上記凸部は、上記閉状態において、上記搬送経路側に位置する上記開口部の開口面よりも上記搬送経路側に向けて突出することが好ましい。
【００１３】
上記本発明に基づく判別装置は、上記判別装置を校正するための校正板をさらに備えていてもよい。上記シャッターは、上記閉状態において上記収容部の内側を向く内側表面を有する。上記校正板は、上記閉状態において上記照射部から照射された光を上記受光部に向けて反射するように、上記内側表面上に配置されていることが好ましい。
【００１４】
上記本発明に基づく判別装置は、上記シャッターを開閉させる開閉機構と、上記記録媒体に対して上記収容部が位置する側とは反対側から上記記録媒体を収容部に向けて押圧する押圧部材と、を備えていてもよい。また、上記押圧部材は、保持した上記記録媒体に上記照射部から光を照射させる照射位置と、上記搬送経路から退避した退避位置との間で移動可能に設けられていてもよい。この場合には、上記開閉機構は、上記押圧部材の移動に連動して上記シャッターを開閉させ、上記押圧部材が上記照射位置に位置する状態において上記開状態とすることが好ましい。
【００１５】
上記本発明に基づく判別装置にあっては、上記開閉機構は、上記押圧部材の移動に連動して回動軸まわりに回動するレバーを含んでいてもよく、上記シャッターは、上記レバーの一端側に係合する係合部を含んでいてもよい。この場合には、上記係合部は、上記レバーの上記一端の移動に連動して上記シャッターを回動させるように構成されていることが好ましく、上記押圧部材が上記照射位置に移動する際に、上記シャッターは、上記収容部内側に向けて回動することが好ましい。
【００１６】
上記本発明に基づく判別装置にあっては、上記レバーは、上記収容部の外部に向けて突出する突出部を含んでいてもよい。この場合には、突出部は、上記押圧部材が上記照射位置に向けて移動する際に上記押圧部材に押圧可能に設けられることが好ましく、上記突出部には、上記記録媒体の搬送方向において下流側に向かうにつれて上記搬送経路に近づくように傾斜する傾斜部が設けられていることが好ましい。
【００１７】
上記本発明に基づく判別装置にあっては、上記開閉機構は、上記シャッターが上記開状態から上記閉状態となるように付勢力を発現させる付勢部材を含んでいてもよい。
【００１８】
本発明に基づく画像形成装置は、上記判別装置と、上記判別装置の判別結果に応じて、画像形成条件を設定する制御部と、を備える。
【００１９】
上記本発明に基づく画像形成装置にあっては、上記判別装置は、搬送される上記記録媒体の幅方向における中央部に向けて光を照射可能に設置されることが好ましい。
【００２０】
上記本発明に基づく画像形成装置は、上記記録媒体を搬送する搬送ローラーを備えていてもよい。この場合には、上記判別装置は、上記記録媒体の搬送方向において上記搬送ローラーの下流側に配置されていることが好ましい。
【発明の効果】
【００２１】
本発明によれば、粉塵の影響を低減することができる判別装置および画像形成装置を提供することができる。
【図面の簡単な説明】
【００２２】
【図１】実施の形態に係る画像形成装置を示す概略図である。
【図２】実施の形態に係る判別装置の概略図である。
【図３】実施の形態に係る判別装置を示す概略斜視図である。
【図４】図３に示すＩＶ−ＩＶ線に沿った判別装置の断面図である。
【図５】実施の形態に係る判別装置に具備される開閉機構を正面から見た図である。
【図６】図５に示すＶＩ−ＶＩ線に沿った判別装置の断面図である。
【図７】実施の形態に係る開閉機構の変形例を示す図である。
【発明を実施するための形態】
【００２３】
以下、本発明の実施の形態について、図を参照して詳細に説明する。なお、以下に示す実施の形態においては、同一のまたは共通する部分について図中同一の符号を付し、その説明は繰り返さない。
【００２４】
図１は、実施の形態に係る画像形成装置を示す概略図である。図１を参照して、実施の形態に係る画像形成装置１００について説明する。
【００２５】
図１には、カラープリンタとしての画像形成装置１００が示されている。以下では、カラープリンタとしての画像形成装置１００について説明するが、画像形成装置１００は、カラープリンタに限定されない。たとえば、画像形成装置１００は、モノクロプリンタであってもよいし、ファックスであってもよいし、モノクロプリンタ、カラープリンタおよびファックスの複合機（ＭＦＰ：Multi−Functional  Peripheral）であってもよい。
【００２６】
画像形成装置１００は、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、搬送ローラー４２，４３と、定着装置５０と、判別装置６０と、筐体８０と、制御部１０１とを備える。
【００２７】
筐体８０は、画像形成装置１００の外殻を規定する。筐体８０は、第１筐体部８１、第２筐体部８２、および第３筐体部８３を含む。第１筐体部８１は、内部に、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、定着装置５０と、制御部１０１とを収容する。
【００２８】
第２筐体部８２は、第１筐体部８１の側方に配置されており、第２筐体部８２の側方に第３筐体部８３が配置されている。第２筐体部８２は、第１筐体部８１と第３筐体部８３との間に位置する。
【００２９】
第２筐体部８２の内部には、判別装置６０が収容されている。第３筐体部８３の内部には、搬送ローラー４３およびカセット３７が収容されている。カセット３７には記録媒体としての用紙Ｓがセットされる。搬送ローラー４３は、第２筐体部８２内を通って第１筐体部８１内に向かうように用紙Ｓを搬送する。
【００３０】
第２筐体部８２内に用紙Ｓが位置する状態で、判別装置６０が用紙Ｓの種類を特定する。たとえば、判別装置６０による用紙Ｓの判別は、通紙の最初の１枚目に対して行われ、その後に連続して通紙される場合においては、判別装置６０による用紙Ｓの判別は行われない。
【００３１】
画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０とによって画像形成部が構成される。この画像形成部は、後述する搬送経路４１に沿って搬送される用紙Ｓ上にトナー画像を形成する。
【００３２】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（ＢＫ）のトナー像を形成する。
【００３３】
画像形成ユニット１Ｙ，１Ｍ，１Ｃ，１Ｋは、それぞれ、中間転写ベルト３０に沿って中間転写ベルト３０の回転方向の順に配置されている。画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００３４】
帯電装置１１は、感光体１０の表面を一様に帯電する。露光装置１２は、制御部１０１からの制御信号に応じて感光体１０にレーザー光を照射し、入力された画像パターンに従って感光体１０の表面を露光する。これにより、入力画像に応じた静電潜像が感光体１０上に形成される。
【００３５】
現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００３６】
感光体１０と中間転写ベルト３０とは、一次転写ローラー３１を設けている部分で互いに接触している。一次転写ローラー３１は、ローラー形状を有し、回転可能に構成される。トナー像と反対極性の転写電圧が一次転写ローラー３１に印加されることによって、トナー像が感光体１０から中間転写ベルト３０に転写される。イエロー（Ｙ）のトナー像、マゼンタ（Ｍ）のトナー像、シアン（Ｃ）のトナー像、およびブラック（ＢＫ）のトナー像が順に重ねられて感光体１０から中間転写ベルト３０に転写される。これにより、カラーのトナー像が中間転写ベルト３０上に形成される。
【００３７】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００３８】
クリーニング装置１７は、感光体１０に圧接されている。クリーニング装置１７は、トナー像の転写後に感光体１０の表面に残留するトナーを回収する。
【００３９】
カセット３７から搬送される用紙Ｓは、１枚ずつタイミングローラー４０によって搬送経路４１に沿って二次転写ローラー３３に送られる。二次転写ローラー３３は、ローラー形状を有し、回転可能に構成される。二次転写ローラー３３は、トナー像と反対極性の転写電圧を搬送中の用紙Ｓに印加する。これにより、トナー像は、中間転写ベルト３０から二次転写ローラー３３に引き付けられ、中間転写ベルト３０上のトナー像が用紙Ｓに転写される。このように一次転写ローラー３１、中間転写ベルト３０、および二次転写ローラー３３は、トナー像を感光体１０から用紙Ｓに転写する転写部に相当する。
【００４０】
二次転写ローラー３３への用紙Ｓの搬送タイミングは、中間転写ベルト３０上のトナー像の位置に合わせてタイミングローラー４０によって調整される。タイミングローラー４０により、中間転写ベルト３０上のトナー像は、用紙Ｓの適切な位置に転写される。
【００４１】
定着装置５０は、自身を通過する用紙Ｓを加圧および加熱する。これにより、トナー像は用紙Ｓに定着する。このように、定着装置５０は、搬送経路４１に沿って搬送される用紙Ｓ上のトナー画像を定着させる。トナー像が定着された用紙Ｓは、トレイ４８に排紙される。
【００４２】
なお、上述では、印刷方式としてタンデム方式を採用している画像形成装置１００について説明したが、画像形成装置１００の印刷方式は、タンデム方式に限定されない。画像形成装置１００内における各構成の配置は、採用される印刷方式に従って適宜変更され得る。画像形成装置１００の印刷方式として、ロータリー方式や直接転写方式が採用されてもよい。ロータリー方式の場合、画像形成装置１００は、１つの感光体１０と、同軸上で回転可能に構成される複数の現像装置１３で構成される。画像形成装置１００は、印刷時には、各現像装置１３を感光体１０に順に導き、各色のトナー像を現像する。直接転写方式の場合、画像形成装置１００は、感光体１０上に形成されたトナー像が用紙Ｓに直接転写される。
【００４３】
図２は、実施の形態に係る判別装置の概略図である。図３は、実施の形態に係る判別装置を示す概略斜視図である。図４は、図３に示すＩＶ−ＩＶ線に沿った判別装置の断面図である。図２から図４を参照して、判別装置６０の概略について説明する。
【００４４】
図２および図３に示すように、判別装置６０は、収容部６１、照射部６２、受光部６３、シャッター６５、校正板６６、シャッター支持部６７および開閉機構７０を備える。
【００４５】
図２に示すように、収容部６１に照射部６２および受光部６３が収容されている。照射部６２は、開口部６４に面するように配置された用紙Ｓに向けて光を照射可能に構成されている。受光部６３は、用紙Ｓから反射された光を受光可能に構成されている。
【００４６】
判別装置６０においては、照射部６２から出射された光が開口部６４を通過して用紙Ｓに入射し、用紙Ｓから反射された光が開口部６４を通って受光部６３に受光されることで、用紙Ｓの種類が判別される。
【００４７】
用紙Ｓの種類としては、表面の紙の繊維が粗いラフ紙、一般に使用される普通紙、表面に微細な凹凸を有する上質紙、表面がコート層で覆われているコート紙等が挙げられる。各用紙によって表面の平滑度が異なっている。また、用紙Ｓの厚さによって、坪量が異なる。このため、用紙Ｓから反射して受光部６３に受光された反射光の光量や分布特性に基づいて用紙Ｓの種類を判別することができる。
【００４８】
図３および図４に示すように、収容部６１は、略箱形形状を有する。収容部６１は、底部６１１と、底部６１１を覆う蓋部６１２とを含む。収容部６１には、開口部６４が設けられている。開口部６４は、用紙Ｓが搬送される搬送経路４１（図５参照）に対向するように設けられている。開口部６４は、底部６１１の略中央部に設けられている。
【００４９】
収容部６１には、開口部６４が開放された開状態と、開口部６４が閉塞された閉状態とを切り替えるシャッター６５が設けられている。シャッター６５は、回転軸ＡＸ１回りに回動可能に支持されている。シャッター６５は、用紙Ｓの搬送方向（図中矢印ＡＲ１方向）の下流側が、シャッター支持部６７に回動可能に支持されている。
【００５０】
シャッター６５が、開閉機構７０によって回動することにより、上記開状態と閉状態とが切り替わる。開状態となる場合には、シャッター６５は、上記搬送方向（ＡＲ１方向）の上流側に位置するシャッター６５の端部が、収容部６１の内部に向かうように回動する。
【００５１】
シャッター６５は、互いに表裏関係にある内側表面６５ａおよび外側表面６５ｂを有する。内側表面６５ａは、上記閉状態において収容部６１の内側を向く。外側表面６５ｂは、上記閉状態において搬送経路を向く。
【００５２】
内側表面６５ａ上には、校正板６６が配置されている。校正板６６は、判別装置６０を校正するためのものである。校正板６６は、所定の平滑度を有する。校正板６６は、閉状態において、照射部６２から照射された光を受光部６３に向けて反射するように配置されている。校正板６６によって反射された反射光の光量に基づいて、照射条件等を調整することにより、判別装置６０を校正することができる。
【００５３】
外側表面６５ｂには、凸部としてのリブ６５ｃが設けられている。リブ６５ｃは、上記閉状態において、上記搬送経路側に位置する開口部６４の開口面６４ａよりも搬送経路側に向けて突出する。これにより、搬送経路に沿って搬送される用紙Ｓが、搬送方向の下流側に位置する開口部６４の端部６４ｂに引っ掛かることを防止することができる。この結果、用紙Ｓの詰まりを抑制することができる。
【００５４】
リブ６５ｃは、搬送方向（ＡＲ１方向）に向かうにつれて、搬送経路側に向けて突出するように傾斜する。これにより、用紙Ｓが搬送経路から収容部６１側にずれて搬送された場合でも、リブ６５ｃによって搬送経路に沿うように用紙Ｓを案内することができる。
【００５５】
リブ６５ｃは、搬送方向を長手方向とする長手形状を有するが、リブ６５ｃに代えて上記回転軸ＡＸ１方向に拡がる面形状を有する凸部が設けられていてもよい。
【００５６】
図５は、実施の形態に係る判別装置に具備される開閉機構を正面から見た図である。図６は、図５に示すＶＩ−ＶＩ線に沿った判別装置の断面図である。図５および図６を参照して、判別装置６０の詳細について説明する。
【００５７】
図５に示すように、判別装置６０は、さらに押圧部材９０を備える。押圧部材９０は、板状形状を有する。押圧部材９０は、用紙Ｓに対して収容部６１が位置する側とは反対側から用紙Ｓを収容部６１に向けて押圧する。押圧部材９０は、照射部６２から用紙Ｓに光を照射させるための照射位置Ｐ１と、搬送経路４１から退避した退避位置Ｐ２との間で移動可能に設けられている。押圧部材９０の移動動作は、制御部１０１によって制御される。
【００５８】
照射位置Ｐ１は、たとえば、押圧部材９０によって押圧される用紙Ｓが収容部６１の底部６１１に当接する位置である。退避位置Ｐ２は、たとえば、収容部６１の底部６１１に対向する位置であり、搬送経路４１よりも収容部６１から離れた位置である。
【００５９】
押圧部材９０によって用紙Ｓを収容部６１の底部６１１に押圧することにより、用紙Ｓの姿勢を安定させた状態で用紙Ｓの判別が可能となる。これにより、判別精度を向上させることができる。
【００６０】
開閉機構７０は、押圧部材９０の移動に連動してシャッター６５を開閉させる。開閉機構７０は、押圧部材９０が照射位置Ｐ１に位置する状態において上記開状態とし、押圧部材９０が退避位置Ｐ２に位置する状態において上記閉状態とする。
【００６１】
開閉機構７０は、シャフト７１、レバー７２、突出部７３、および付勢部材７４を含む。シャフト７１は、上記搬送方向と略平行となるように延在する。
【００６２】
レバー７２は、シャフト７１の軸まわりに回動可能に設けられている。レバー７２は、シャフト７１と略直交する方向に沿って延在する。レバー７２は、第１端部７２１および第２端部７１２を有する。
【００６３】
第１端部７２１は、シャッター６５が有する係合部６５１に係合している。第２端部７２２は、周方向における一部に切り欠きが設けられた略円筒形状を有する。第２端部７２２は、シャフト７１に回動可能に嵌合している。
【００６４】
突出部７３は、収容部６１の外部に向けて突出する。具体的には、突出部７３は、搬送経路４１に向けて突出する。突出部７３は、押圧部材９０が上記照射位置Ｐ１に向けて移動する際に、当該押圧部材９０に押圧可能に設けられている。
【００６５】
突出部７３が、押圧部材９０によって矢印ＡＲ２方向に押圧されることにより、レバー７２が矢印ＡＲ３方向に回動する。すなわち、突出部７３が押圧部材９０によって押圧されることにより、レバー７２の第１端部７２１が収容部６１の内側に向けて移動するように、レバー７２がシャフト７１の軸まわりに回動する。これにより、後述するように、シャッター６５が回動し、閉状態から開状態に切り替わる。
【００６６】
突出部７３には、上記搬送方向において下流側に向かうにつれて搬送経路４１に近づくように傾斜する傾斜部７３ａ（図４参照）が設けられている。これにより、用紙Ｓが搬送経路から収容部６１側にずれて搬送された場合でも、傾斜部７３ａによって搬送経路４１に沿うように用紙Ｓを案内することができる。
【００６７】
また、突出部７３は、上記搬送方向に平行な軸まわりに回転可能に設けられている。突出部７３は、たとえば、ローラー等によって構成されている。上述のように、突出部７３が押圧部材９０によって押圧されることにより、レバー７２がシャフト７１の軸まわりに回動する。このようなレバー７２の回動に伴って、突出部７３が回転することにより、突出部７３と押圧部材９０とによって挟まれた用紙Ｓが凹むことを抑制することができる。
【００６８】
突出部７３は、第１端部７２１と第２端部７２２との間に位置する部分のレバー７２に設けられている。このような位置に突出部７３が設けられることにより、レバー７２が回動する際に、突出部７３の移動量に対して、第１端部７２１の移動量を増加させることができる。
【００６９】
収容部６１の底部６１１と搬送経路４１との間の隙間は、略２〜３ｍｍである。このため、上記底部６１１から突出する突出部７３の突出量は、１ｍｍ程度が限界である。上記のように、突出部７３の移動量に対して、第１端部７２１の移動量を増加させることができることにより、シャッター６５を大きく移動させることができる。
【００７０】
付勢部材７４は、シャッター６５が上記開状態から上記閉状態となるように付勢力を発現させる。具体的には、付勢部材７４は、レバー７２の第１端部７２１が収容部６１の底部６１１に近づく方向にレバー７２を回動させるように付勢力を発現させる。付勢部材７４としては、たとえば、ねじりコイルバネを採用することができる。ねじりコイルの巻回部がシャフト７１に挿入され、当該ねじりコイルバネの一端が底部６１１に接続され、ねじりコイルバネの他端が、レバー７２に接続される。
【００７１】
このように付勢部材７４は、シャッター６５に直接接続されていない。シャッター６５に付勢部材７４を直接接続した場合には、付勢部材７４の付勢力が高くなってしまう。このため、付勢力に抗してレバー７２を回動させる際に、用紙Ｓに凹みが形成されることが起こり得る。本実施の形態においては、レバー７２と収容部６１とを付勢部材７４で接続することにより、付勢力を低く設計することができる。この結果、付勢力に抗してレバー７２を回動させた場合であっても、用紙Ｓに凹みが形成されることを抑制することができる。
【００７２】
図６は、図５に示すＶＩ−ＶＩ線に沿った判別装置の断面図である。図６を参照して、レバー７２がシャッター６５を回動させるための構成について説明する。
【００７３】
図６に示すように、シャッター６５は、レバー７２の第１端部７２１に係合する係合部６５１を有する。係合部６５１は、上記搬送方向（ＡＲ１方向）におけるシャッター６５の下流側に設けられている。係合部６５１は、開口部６４を閉塞する本体部から上方に向けて伸びるように設けられており、シャッター支持部６７に回動可能に支持されている。
【００７４】
係合部６５１は、レバー７２の第１端部７２１が挿入される挿入部６５２を有する。挿入部６５２にレバー７２に向けて開口するように設けられている。レバー７２の延在方向に沿って見た場合に、係合部６５１は、略有底筒形状を有する。
【００７５】
係合部６５１の内周面は、閉状態において上方に向かうにつれて搬送方向上流側に向けて湾曲する湾曲面６５２ａを有する。
【００７６】
上記挿入部６５２に挿入されるレバー７２の第１端部７２１も、上方に向かうにつれて搬送方向上流側に向けて湾曲する湾曲面７２１ａを有する。上述のように突出部７３が押圧部材９０に押圧されてレバー７２が回動する場合には、図６中において、第１端部７２１は、矢印ＡＲ４方向に移動する。この際、湾曲面６５２ａが湾曲面７２１ａに沿って摺動することで、係合部６５１が矢印ＡＲ５方向に回動する。これにより、搬送方向上流側におけるシャッター６５の端部が、収容部６１内に向かうように、シャッター６５が回動する。この結果、シャッター６５が開いた開状態となる。
【００７７】
以上のように、本実施の形態においては、シャッター６５によって開口部６４が開放された開状態と、開口部６４が閉塞された閉状態とを切り替えることができる。これにより、用紙Ｓの種類を判別する際に開口部６４を開状態とし、用紙Ｓの種類が判別された後は閉状態とすることにより、搬送経路側から粉塵等が収容部６１内に侵入することを抑制することができる。この結果、収容部６１内に粉塵が堆積することを抑制でき、粉塵による光学機器等への影響を低減することができる。
【００７８】
具体的には、複数の用紙Ｓに画像を形成する場合においては、最初の１枚目において、用紙Ｓの種類を判別するために開状態とし、その後に連続して通紙する場合には、閉状態とする。これにより、連続して通紙する際に用紙Ｓから発生する紙粉や、以前から第２筐体部８２内に堆積していた紙粉等の異物が、収容部６１内に侵入することを効果的に抑制することができる。
【００７９】
なお、判別装置６０は、第２筐体部８２内において、搬送される用紙Ｓの幅方向における中央部に向けて光を照射可能に設置される。これにより、小さいサイズの用紙でも用紙Ｓの判別することができる。
【００８０】
また、上述のように、判別装置６０は、上記搬送方向において搬送ローラーの下流側に配置されている。これにより、用紙Ｓの姿勢が安定した状態で、用紙Ｓの判別を行なうことができる。
【００８１】
さらに、判別装置６０にて判別された用紙Ｓの種類に関する情報は、制御部１０１に入力される。制御部１０１は、判別装置６０による判別結果に基づいて画像形成条件を設定する。たとえば、光沢の低い用紙Ｓまたは厚さの薄い用紙Ｓであると判別された場合には、制御部１０１は、用紙Ｓに付着されるトナーの量が少なくなるように画像形成条件を制御する。一方、光沢の高い用紙または厚さの厚い用紙Ｓであると判別された場合には、制御部１０１は、用紙Ｓに付着されるトナーの量が多くなるように画像形成条件を制御する。
【００８２】
（変形例）
図７は、実施の形態に係る開閉機構の変形例を示す図である。図７を参照して、開閉機構の変形例について説明する。
【００８３】
図７に示すように、変形例における開閉機構７０Ａは、実施の形態に係る開閉機構７０と比較して、駆動源７８と動力伝達機構７７を含むように構成されている点において相違する。
【００８４】
駆動源７８は、たとえばモータ等であり、出力軸７９を含む。出力軸７９は、動力伝達機構７７に接続されている。係合部６５１は、動力伝達機構７７に接続されている。出力軸７９からの出力（回転駆動力）が動力伝達機構７７によって係合部６５１に伝達され、係合部６５１が軸回りに回動する。これにより、シャッター６５が回動する。
【００８５】
このような開閉機構７０Ａを判別装置に用いた場合であっても、当該判別機構は、実施の形態１とほぼ同様の効果を有する。
【００８６】
一方で、実施の形態においては、収容部６１内に駆動源７８が設けられていないため、駆動源７８から発生する粉塵等によって光学機器が影響を受けることを防止することができる。
【００８７】
なお、上述の実施の形態および変形例においては、シャッター６５が回動することにより、開状態および閉状態が切り替えられる場合を例示して説明したが、これに限定されず、シャッター６５は、スライド移動等することにより、開口部６４を開閉してもよい。
【００８８】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【００８９】
１Ｃ，１Ｋ，１Ｍ，１Ｙ  画像形成ユニット、１０  感光体、１１  帯電装置、１２  露光装置、１３  現像装置、１４  現像ローラー、１５Ｃ，１５Ｋ，１５Ｍ，１５Ｙ  トナーボトル、１７  クリーニング装置、３０  中間転写ベルト、３１  一次転写ローラー、３３  二次転写ローラー、３７  カセット、３８  従動ローラー、３９  駆動ローラー、４０  タイミングローラー、４１  搬送経路、４２，４３  搬送ローラー、４８  トレイ、５０  定着装置、６０  判別装置、６１  収容部、６２  照射部、６３  受光部、６４  開口部、６４ａ  開口面、６４ｂ  端部、６５  シャッター、６５ａ  内側表面、６５ｂ  外側表面、６５ｃ  リブ、６６  校正板、６７  シャッター支持部、７０，７０Ａ  開閉機構、７１  シャフト、７２  レバー、７３  突出部、７３ａ  傾斜部、７４  付勢部材、７７  動力伝達機構、７８  駆動源、７９  出力軸、８０  筐体、８１  第１筐体部、８２  第２筐体部、８３  第３筐体部、９０  押圧部材、１００  画像形成装置、１０１  制御部、６１１  底部、６１２  蓋部、６５１  係合部、６５２  挿入部、６５２ａ  湾曲面、７２１  第１端部、７２１ａ  湾曲面、７２２  第２端部。
【図１】
2020094856.tif 000003
【図２】
2020094856.tif 000004
【図３】
2020094856.tif 000005
【図４】
2020094856.tif 000006
【図５】
2020094856.tif 000007
【図６】
2020094856.tif 000008
【図７】
2020094856.tif 000009